(57)【要約】【課題】本発明は、電子機器において、操作ボタンの文字照明の品位を向上させること。【解決手段】操作部８は、非透光性の部材で形成された表面部１４と、当該表面部１４の一部を透光性の部材とした透過文字部１５と、表面部１４の背面に透光性の部材で形成されたリブ基部１６が設けられ、このリブ基部１６からスイッチ駆動部１７へと伸びる透光性の部材で形成されたリブ１８を有し、リブ１８は、表面部１４の正面から見て、透過文字部１５の中心から偏った位置で、かつ発光部１２と重ならない位置に配置される構成とする。【選択図】図４
2014191966.tif 000002
【特許請求の範囲】
【請求項１】
操作パネルと、この操作パネルの操作面に配置された操作体とを備え、
前記操作体は、前記操作面に設けた貫通孔をその操作面の後方から前面側へと貫通した操作部と、この操作部の外周面と前記貫通孔の内周面との間に配置された保持部と、この保持部よりも後方側に配置された発光部を有し、
前記操作部は、
非透光性の部材で形成された表面部と、当該表面部の一部を透光性の部材とした透過文字部と、
前記表面部の背面に透光性の部材で形成されたリブ基部が設けられ、このリブ基部からスイッチ駆動部へと伸びる透光性の部材で形成されたリブを有し、
前記リブは、前記表面部の正面から見て、前記透過文字部の中心から偏った位置で、かつ前記発光部と重ならない位置に配置された、
電子機器。
【請求項２】
前記リブの断面を十字形状とした請求項１に記載の電子機器。
【請求項３】
前記表面部と前記リブ基部を２色成形とした請求項１に記載の電子機器。
【請求項４】
前記操作部の外周面に回転スイッチを配置した請求項１に記載の電子機器。
【発明の詳細な説明】
【技術分野】
【０００１】
本発明は、操作面に操作体を設けた電子機器に関するものである。
【背景技術】
【０００２】
従来の電子機器は、以下の構成となっている。
【０００３】
すなわち、電子機器の操作面に操作ボタンを備えている。その操作ボタンは、非透光性の部材で形成した表面部と、当該表面部の一部を透光性の部材とした透過文字部と、表面部の背面に透光性の部材のリブ基部が設けられ、そのリブ基部の一部をスイッチ駆動部へと伸びるリブとした。（例えば、下記特許文献１）。
【先行技術文献】
【特許文献】
【０００４】
【特許文献１】実開平６−５０１９０号公報
【発明の概要】
【発明が解決しようとする課題】
【０００５】
上記従来例においては、表面部の大部分が透過文字部である場合、輝度むらが発生するとの問題がある。
【０００６】
すなわち、表面部の後方に配置された発光部（ＬＥＤが一例）からの光は、リブおよびリブ基部を通って透過文字部に到達する。
【０００７】
この場合、表面部の正面から見てリブのある場所の輝度が高くなってしまうが、透過文字部の範囲とリブの範囲が同等の大きさであれば、透過文字部の輝度むらは少ない。
【０００８】
しかし、リブはスイッチ駆動部を押圧する役割があり、操作性の問題からリブをスイッチ駆動部程度の大きさとする必要がある。
【０００９】
そのため、表面部の大部分が透過文字部である場合、透過文字部のリブのある場所の輝度が高く、周辺部の輝度が相対的に低く輝度むらとなってしまう。
【００１０】
そこで、本発明は、操作ボタンの文字照明の品位を向上させること目的とするものである。
【課題を解決するための手段】
【００１１】
そして、この目的を達成するために本開示は、操作パネルと、この操作パネルの操作面に配置された操作体とを備え、操作体は、操作面に設けた貫通孔をその操作面の後方から前面側へと貫通した操作部と、この操作部の外周面と貫通孔の内周面との間に配置された保持部と、この保持部よりも後方側に配置された発光部を有し、操作部は、非透光性の部材で形成された表面部と、当該表面部の一部を透光性の部材とした透過文字部と、表面部の背面に透光性の部材で形成されたリブ基部が設けられ、このリブ基部からスイッチ駆動部へと伸びる透光性の部材で形成されたリブを有し、リブは、表面部の正面から見て、透過文字部の中心から偏った位置で、かつ発光部と重ならない位置に配置される構成とし、これにより所期の目的を達成するものである。
【発明の効果】
【００１２】
以上のように本開示は、操作パネルと、この操作パネルの操作面に配置された操作体とを備え、操作体は、操作面に設けた貫通孔をその操作面の後方から前面側へと貫通した操作部と、この操作部の外周面と貫通孔の内周面との間に配置された保持部と、この保持部よりも後方側に配置された発光部を有し、操作部は、非透光性の部材で形成された表面部と、当該表面部の一部を透光性の部材とした透過文字部と、表面部の背面に透光性の部材で形成されたリブ基部が設けられ、このリブ基部からスイッチ駆動部へと伸びる透光性の部材で形成されたリブを有し、リブは、表面部の正面から見て、透過文字部の中心から偏った位置で、かつ発光部と重ならない位置に配置される構成とし、操作ボタンの文字照明の品位を向上させることが可能となる。
【００１３】
すなわち、本開示によれば、発光部が点灯した光は、リブおよびリブ基部が導光体となり、透過文字部へ到達する。その１つの経路は、リブを通ってリブ基部に到達する経路で、その光は、透過文字部のリブ位置から透過文字部の他の部分へと広がる。
【００１４】
一方、発光部が点灯した光は、リブを経由せず、直接リブ基部に到達する経路も存在する。その光は、透過文字部のリブ位置以外の部分に直接到達することになる。
【００１５】
つまり、透過文字部のリブ位置は、リブを通ってリブ基部に到達する経路の光量となり、透過文字部のリブ位置以外の部分は、リブを通ってリブ基部に到達する経路、およびリブを経由せず、直接リブ基部に到達する経路の光量となる。
【００１６】
したがって、表面部の大部分が透過文字部であったとしても、輝度むらが発生することがなく、操作ボタンの文字照明の品位を向上させることが可能となる。
【図面の簡単な説明】
【００１７】
【図１】本発明の一実施形態の電子機器の操作パネルの正面図
【図２】本発明の一実施形態の電子機器の構成図
【図３】本発明の一実施形態の表示状態を示す図
【図４】本発明の一実施形態の操作体の断面図
【発明を実施するための形態】
【００１８】
以下に、本発明の実施形態について図面を参照しながら説明する。
【００１９】
（実施の形態１）
図１は、本実施形態の電子機器の操作パネル１の要部正面図である。
【００２０】
操作パネル１には、操作面２の中央部に開口部３を有しており、液晶パネルなどの表示部が開口部３に収まる。また、その周辺には、ＣＤやＤＶＤの挿入口４、その他機械式のボタン５が配置されている。
【００２１】
図２は、操作パネル１の操作面２に配置された操作体６の構造を説明する図である。
【００２２】
操作体６は、操作面２に設けた貫通孔７を、その操作面２の後方から前面側へと貫通した操作部８と、この操作部８の外周面９と貫通孔の内周面１０との間に配置された保持部１１と、この保持部１１よりも後方側に配置された発光部１２（図４に示す）を有する。なお、発光部１２は、通常ＬＥＤが用いられる。
【００２３】
また、操作部８の外周面に回転スイッチ１３を配置している。回転スイッチ１３は、エンコーダを有し、回転させると所定の間隔でパルスを発生させる。
【００２４】
例えば、操作体６からのスイッチ信号は、電子機器の制御部（説明の煩雑化を避けるため図示は省略する）に出力される。制御部は、図３に示すような操作画面を表示し、回転スイッチ１３が回転操作され、パルス信号が制御部に出力されると、画面上で選択される項目を「ＤＡＢ  ｓｅｔｔｉｎｇｓ」から「Ｒａｄｉｏ  ｔｅｘｔ」、または「ＲＤＳ  ｓｅｔｔｉｎｇｓ」へと変更する。
【００２５】
図４に示す操作体６の断面図を用いて、さらに構造を詳しく説明する。
【００２６】
操作部８は、非透光性の部材で形成された表面部１４と、表面部１４の一部を透光性の部材とした透過文字部１５を有する。
【００２７】
また、表面部１４の背面に透光性の部材で形成されたリブ基部１６が設けられ、このリブ基部１６からスイッチ駆動部１７へと伸びる透光性の部材で形成されたリブ１８を有する。
【００２８】
リブ１８は、表面部１４の正面から見て、透過文字部１５の中心から偏った位置で、かつ発光部１２と重ならない位置に配置される。なお、リブ１８は、強度の点から断面を十字形状とすることが好ましいが、円柱形状などでもよい。
【００２９】
操作部８を保持する保持部１１は、リブ１８の長手方向に操作部８が移動可能に保持する構造となっている。つまり、ユーザが透過文字部１５の部分を指で押すと、操作部８がリブ１８の長手方向に動き、リブ１８の先端でスイッチ駆動部１７を押圧し、スイッチ操作するようになっている。
【００３０】
なお、リブ基部１６とリブ１８を透光性の部材で一体のものとし、この一体の部分と表面部１４とで、ボタン構造として一般的な二色成型を適用することができる。
【００３１】
以上の構成において、発光部１２から透過文字部１５にどのように光が伝わるかを説明する。
【００３２】
すなわち、発光部１２の点灯により発する光は、リブ１８およびリブ基部１６が導光体となり、透過文字部１５へ到達する。
【００３３】
その１つの経路Ａは、リブ１８を通ってリブ基部１６に到達する経路で、その光は、透過文字部１５のリブ１８位置から透過文字部１５の他の部分へと広がる。
【００３４】
一方、発光部１２が点灯した光は、リブ１８を経由せず、直接リブ基部１６に到達する経路Ｂも存在する。その光は、透過文字部１５のリブ位置以外の部分に直接到達することになる。
【００３５】
つまり、透過文字部１５のリブ位置は、リブ１８を通ってリブ基部１６に到達する経路Ａの光量となり、透過文字部１５のリブ位置以外の部分は、リブ１８を通ってリブ基部１６に到達する経路Ａ、およびリブ１８を経由せず、直接リブ基部１６に到達する経路Ｂの光量となる。
【００３６】
したがって、表面部１４の大部分が透過文字部１５であったとしても、輝度むらが発生することがなく、操作部８（操作ボタン）の文字照明の品位を向上させることが可能となる。
【産業上の利用可能性】
【００３７】
以上のように本発明における電子機器は、操作パネルと、この操作パネルの操作面に配置された操作体とを備え、操作体は、操作面に設けた貫通孔をその操作面の後方から前面側へと貫通した操作部と、この操作部の外周面と貫通孔の内周面との間に配置された保持部と、この保持部よりも後方側に配置された発光部を有し、操作部は、非透光性の部材で形成された表面部と、当該表面部の一部を透光性の部材とした透過文字部と、表面部の背面に透光性の部材で形成されたリブ基部が設けられ、このリブ基部からスイッチ駆動部へと伸びる透光性の部材で形成されたリブを有し、リブは、表面部の正面から見て、透過文字部の中心から偏った位置で、かつ発光部と重ならない位置に配置される構成とし、操作ボタンの文字照明の品位を向上させることが可能となる。
【００３８】
したがって、各種電子機器としての活用が期待されるものとなる。
【符号の説明】
【００３９】
１  操作パネル
２  操作面
３  開口部
４  挿入口
５  ボタン
６  操作体
７  貫通孔
８  操作部
９  外周面
１０  貫通孔内周面
１１  保持部
１２  発光部
１３  回転スイッチ
１４  表面部
１５  透過文字部
１６  リブ基部
１７  スイッチ駆動部
１８  リブ
【図１】
2014191966.tif 000003
【図２】
2014191966.tif 000004
【図３】
2014191966.tif 000005
【図４】
2014191966.tif 000006